(57)【要約】この発明は、処理プラント、特に燃焼炉（１）への給送方法と装置に係るものであり、そこでは液体成分（５）に固形成分（６）が加わった流動性の処理物（３）が給送管（２）を通って加圧投入される。加圧する前に処理物（３）を混合することによって、有利な給送条件が達成される。【選択図】    図１
2009509730.tif 000002
【特許請求の範囲】
【請求項１】
液体成分と固形成分を有する流動性のある処理物を、給送管を介して処理プラント、特に燃焼炉へ加圧投入する給送方法において、前記処理物（３）が加圧される前に混合されていることを特徴とする方法。
【請求項２】
請求項１に記載の給送方法において、前記処理物（３）の混合時に、前記固形成分（６）が前記液体成分（５）の中にほぼ均等に分散されることを特徴とする方法。
【請求項３】
請求項１又は２に記載の給送方法において、前記給送管（２）は、加圧が生じるまでは、少なくとも固形成分（６）を非加圧状態で搬送することを特徴とする方法。
【請求項４】
請求項１又は３に記載の給送方法において、処理プラント（１）ヘの給送中断時に、給送管（２）が少なくとも部分的に空であることを特徴とする方法。
【請求項５】
処理プラントへ処理物を搬送するための給送管と、該給送管に組込まれ、前記処理プラントに処理物を加圧投入するためのポンプを具える処理プラント、特に、燃焼炉用の給送装置において、好ましくは端部が槍状の給送管（２）に、前記ポンプの上流側に配置した、処理物を混合する混合装置、特に、ドラムミキサ（４）が組込まれていることを特徴とする装置。
【請求項６】
請求項５に記載の装置において、前記処理物（３）を加圧しない状態で搬送するために、前記給送管（２）が、スクリュ、特にスパイラルスクリュ（７）を具えることを特徴とする装置。
【請求項７】
請求項５または６に記載の装置において、前記給送管（２）がポンプとミキサーの間でリング状配管を形成しており、前記処理プラント側に配置されたポンプ（１０）が前記処理物（３）を処理プラントに圧送投入することを特徴とする装置。
【請求項８】
請求項５ないし７のいずれか１項に記載の装置において、前記ポンプと前記処理プラントの間に伸びる前記給送管（２）が、液体及び／又はガス状の処理物質を追加する接続口（１４）を具えることとを特徴とする装置。
【発明の詳細な説明】
【技術分野】
【０００１】
本発明は、処理プラント、特に燃焼炉への給送装置とその方法に係るものであり、そこでは液体成分と固形成分が混ざった流動性の処理物が給送管を通って処理プラントへ加圧投入される。
【０００２】
処理材料が全体的あるいは部分的な未燃焼状態において熱浮揚ガスによって運ばれることなく、燃焼炉として構成された処理プラントに固形の処理物を供給できるようにするために、固形の処理物を液体の処理物と一緒に燃焼炉に投入することが知られている。しかしまた、固形成分と液体成分から成るこのような流動性の処理物を送り込むことは困難であることも分かっている。なぜならば固形成分は液体成分から分離してしまう傾向があるからである。このことによって、頻繁に給送管の詰まりが誘発され、これは、とりわけ処理物を加圧搬送する場合に発生するものである。現在公知の装置と方法では、このため、処理プラントへ加圧給送を行う場合は、高い耐用年数を確保することができない。
【０００３】
本発明は、それゆえに上述の方法と装置を提供することを課題としており、これは、固形成分と液体成分から成る処理物の燃焼炉への加圧給送における高い耐用年数によって規定される。
【０００４】
本発明は、加圧する前に処理物を混合させておくと云う方法で、この課題を解決するものである。
【０００５】
加圧する前に処理物を混合しておけば、従来技術とは逆に、給送管が詰まるリスクを低く維持するということが驚くほどに保証される。すなわち、混合された処理物においては、固形成分が殆ど分離しないか、搬送時に僅かに分離するに過ぎないことが判明し、このことが詰まりの発生に決定的であることが明らかになったのである。従って、長い供給動作の間に給送管の詰まりを懸念する必要がなくなり、本発明によれば、とりわけ燃焼炉として使用される処理プラントにおいて耐用年数を長くすることが可能となる。特に、これらのプラントにおいては、処理物は、特に詰まりやすい槍管として使用されている供給管を介して、加圧状態で最終的に供給される。本発明によれば、ここで、詰まりのリスクを減少することができる。
【０００６】
処理物の混合に際して固形成分が液体成分中でほぼ均質に拡散されると、分離のリスクが一段と減少することになる。すなわち固形成分が大部分で液体成分中に分散された状態を維持することがあきらかであり、固形成分が局所的に集まって、それに起因する詰まりのリスクに対して、逆に働く。
【０００７】
少なくとも圧送が始まるまでは固形成分を加圧せずに搬送することによって、固形成分が分離する傾向を更に減少させることができ、これは処理プラントへの給送手段の耐用年数にとっては有利である。
【０００８】
処理プラントへの給送時に、給送用配管の少なくとも一部が空になると、給送管中で処理物の固形成分が、給送の続行に際して給送管の詰まりに至ってしまうほどに分離することを防ぐことができる。
【０００９】
本発明の装置の目的は、好ましくは端部が槍の形状である給送管を、ポンプの上流側に配置され、処理物を混合する目的で、混合装置とりわけドラムミキサーに組込むことによって、達成される。
【００１０】
ポンプの上流側前に配置され、処理物を混合する目的の混合装置に給送管が組込まれていると、固形成分の分離の危険を低く抑えることができるので、詰まりの無い処理物の加圧搬送が保証される。このことは、給送管の端部が槍の形状をしていると、とりわけ有利である。ミキサーがドラムミキサーとして形成されていれば、簡単な構造関係が成立する。
【００１１】
給送管がスクリュを具えていれば、本発明によって、処理物を加圧せずに運ぶことが可能となるばかりでなく、処理物は移動中であるにもかかわらず、混ぜ合わされて殆ど変わることのない状態で、使い尽くされることもまた確認され得るところである。これはすなわち、スパイラル供給スクリュを使うと、ガスに起因して液体成分が堆積せず、したがって、その分布は変わらないことになる。これは、従来技術とは反対に、下流側の圧送用のポンプに処理物を送り込むことができる。なぜなら、ポンプから処理プラントまでの間がパイプ配管もしくはホース配管で形成された給送管と云う比較的短距離の行程であり、配管寸法や搬送速度を考慮しても、ここで分離する危険は無視することができる。
【００１２】
ポンプとミキサーの間の給送管がリング状配管である場合、給送中断時に簡単に処理物の給送管を空にすることができる。更に、処理プラントへの処理物の加圧投入を確実にするために、リング状配管を処理プラント側に配置されたポンプに接続することができる。
【００１３】
ポンプと処理プラントの間をつなぐ給送管に、液状及び／又はガス状の処理物質を加えるための接続口が設けられていれば、それによって、ポンプの給送能力とは無関係に、給送管のこの部分を空にすることが可能である。
【００１４】
図１に例示的に示す燃焼炉１として構築された処理プラントへの給送のための装置は、給送管２を具えており、この給送管２によって流動性の処理物３を受入れて燃焼炉１に投入する。給送管２は、ドラムミキサ４として形成されたミキサーから処理物３を取り出す。このミキサーは処理物３が常に給送管２に供給されるようになっており、そこで液体成分５と固形成分６が混ぜあわされ、とりわけ固形成分６は液体成分５中でほぼ均質に分散される。これは、図２から明らかである。このような流動性の処理物３は、例えば、オイルもしくはオイルスラッジに合成樹脂、は金属、及び／又は珪酸塩が混ぜられたものである。
【００１５】
図２は、供給管２を示す図であり、この供給管は、図２に示す部分がスパイラルスクリュ７として形成されており、処理物３を加圧しないで搬送する。しかしながら、処理物３を搬送するのに、スクリュ７に代えて、ポンプによって作動する給送管３を用いることもできる。しかし、説明を簡単にするために、この給送管は図に示されていない。スパイラルスクリュは、その他の搬送方法と異なり、スパイラルスクリュ７のスクリュエレメント８が外覆ケーシング９に殆どピッタリと係合しており、それによって搬送される全体から液体成分５が分離してしまうことが無いので、搬送時の処理物３の分離が低減される点で有利である。このような非加圧状態の搬送によって、給送管２全体にわたって、固形成分６を処理物３の液体成分５の中にほぼ均等に分散された状態が保証され、この結果、燃焼炉１側のエリアに配置されたポンプ１０に問題なく無く送り込まれる。ポンプはこの部分が槍１１の形をしている給送管２を経由して、処理物３を燃焼炉１に圧送投入する。ポンプ１０としては、例えばスクリュポンプを用いることができる。
【００１６】
燃焼炉１への給送中断時には、ドラムミキサ４とポンプ１０の間にリング状配管として形成された給送管２を用いて、処理物３がドラムミキサ４に戻され、給送管２を少なくともこのエリアで空にする。この目的のために、スパイラルスクリュ７は、ドラムミキサ４の投入開口部１２を通ってドラムミキサ４内の処理物３に突出している。また混合中に処理物３を取り出すことができるように、給送管２は投入開口部１２を通ってドラムミキサ４に突出しており、給送管２のスパイラルスクリュ７は、それぞれのモータ１３で駆動される。
【００１７】
更に、ポンプと処理プラントの間に伸びる槍の形状の管１１と給送管２は、図３に明らかなとおり、液状及び／又はガス状の処理物質の追加するための閉止弁１５との接続口１４を具えている。これによって、詰まりが生じた場合、端部が円錐状に窄まっている管１１を洗浄することができる。
【図面の簡単な説明】
【００１８】
図面には本発明の主題が実施例に基づいて例示されている。
【図１】図１は、処理プラントへの給送装置を簡略して示す図である。
【図２】図２は、図１による給送管を拡大して示す断面図である。
【図３】図３は、図１による装置を部分的に拡大して示す図である。
【図１】
2009509730.tif 000003
【図２】
2009509730.tif 000004
【図３】
2009509730.tif 000005
【国際調査報告】
2009509730.tif 000006
2009509730.tif 000007
2009509730.tif 000008
2009509730.tif 000009
2009509730.tif 000010
2009509730.tif 000011